(57)【要約】【課題】口径が大きくて明るい、高変倍なズームレンズでありながら、レンズ径が大きくなりすぎるのを抑えてコンパクトな構成を可能としたズームレンズを提供する。【解決手段】変倍時に複数のレンズ群を光軸方向に移動させることにより変倍を行うズームレンズにおいて、  最も物体側のレンズ群は正の屈折力を持ち、  最も物体側のレンズ群は１枚の正レンズからなり、  以下の条件式（１）、（２）を満足することを特徴とする。  Ｆｎｏ(W)＜２．７      （１）  ３．１＜ｆt／ｆw      （２）  ここで、  Ｆｎｏ(W)は、広角端でのズームレンズのＦナンバー、  ｆtは、ズームレンズ全系の望遠端での焦点距離、  ｆwは、ズームレンズ全系の広角端での焦点距離、である。【選択図】図１
2013190485.tif 000002
【特許請求の範囲】
【請求項１】
変倍時に複数のレンズ群を光軸方向に移動させることにより変倍を行うズームレンズにおいて、
最も物体側のレンズ群は正の屈折力を持ち、
前記最も物体側のレンズ群は１枚の正レンズからなり、
以下の条件式（１）、（２）を満足することを特徴とするズームレンズ。
Ｆｎｏ(W)＜２．７      （１）
３．１＜ｆt／ｆw      （２）
ここで、
Ｆｎｏ(W)は、広角端での前記ズームレンズのＦナンバー、
ｆtは、前記ズームレンズ全系の望遠端での焦点距離、
ｆwは、前記ズームレンズ全系の広角端での焦点距離、
である。
【請求項２】
物体側から順に、正の屈折力の第１レンズ群、負の屈折力の第２レンズ群、正の屈折力の第３レンズ群、正の屈折力の第４レンズ群で構成され、
以下の条件式（３）、（４）、（５）、（６）を満足することを特徴とするズームレンズ。
Σｄ1G／ｆt＜０．１３      （３）
Σｄ1G／Σｄ3G＜０．５      （４）
２．１＜ｆ3／ｆw      （５）
０．２＜Ｌ／Ｉ      （６）
ここで、
Σｄ1Gは、前記第１レンズ群の光軸上の厚みの総和、
ｆtは、前記ズームレンズ全系の望遠端での焦点距離、
Σｄ3Gは、前記第３レンズ群の光軸上の厚みの総和、
ｆ3は、前記第３レンズ群の焦点距離、
ｆwは、前記ズームレンズ全系の広角端での焦点距離、
Ｌは、前記第１レンズ群を構成する光学部材の光軸上の厚さ、
Ｉは、前記ズームレンズ全系の広角端での最大像高、
である。
【請求項３】
物体側から順に、正の屈折力の第１レンズ群、負の屈折力の第２レンズ群、正の屈折力の第３レンズ群、正の屈折力の第４レンズ群で構成され、
前記第１レンズ群は１枚のレンズからなり、
以下の条件式（７）、（８）を満足することを特徴とするズームレンズ。
６５＜νd_1G      （７）
０．１＜（β2t／β2w）／（β3t／β3w）＜０．４８３      （８）
ここで、
νd_1Gは、前記第１レンズ群のｄ線におけるアッベ数（ｎd1−１）／（ｎF1−ｎC1）、
ｎd1は前記第１レンズ群のｄ線における屈折率、
ｎF1は前記第１レンズ群のＦ線における屈折率、
ｎC1は前記第１レンズ群のＣ線における屈折率、
β2tは、前記第２レンズ群の望遠端における横倍率、
β2wは、前記第２レンズ群の広角端における横倍率、
β3tは、前記第３レンズ群の望遠端における横倍率、
β3wは、前記第３レンズ群の広角端における横倍率、
である。
【請求項４】
物体側から順に、正の屈折力の第１レンズ群、負の屈折力の第２レンズ群、正の屈折力の第３レンズ群、正の屈折力の第４レンズ群で構成され、
前記第１レンズ群は１枚のレンズからなり、
以下の条件式（７ａ）、（８ａ）を満足することを特徴とするズームレンズ。
７１＜νd_1G      （７ａ）
０．１＜（β2t／β2w）／（β3t／β3w）＜０．６      （８ａ）
ここで、
νd_1Gは、前記第１レンズ群のｄ線におけるアッベ数（ｎd1−１）／（ｎF1−ｎC1）、
ｎd1は前記第１レンズ群のｄ線における屈折率、
ｎF1は前記第１レンズ群のＦ線における屈折率、
ｎC1は前記第１レンズ群のＣ線における屈折率、
β2tは、前記第２レンズ群の望遠端における横倍率、
β2wは、前記第２レンズ群の広角端における横倍率、
β3tは、前記第３レンズ群の望遠端における横倍率、
β3wは、前記第３レンズ群の広角端における横倍率、
である。
【請求項５】
物体側から順に、正の屈折力の第１レンズ群、負の屈折力の第２レンズ群、正の屈折力の第３レンズ群、正の屈折力の第４レンズ群で構成され、
前記第１レンズ群は１枚のレンズからなり、
以下の条件式（７）、（９）を満足することを特徴とするズームレンズ。
６５＜νd_1G      （７）
０．０５＜（β4t／β4w）／（β3t／β3w）＜０．２７      （９）
ここで、
νd_1Gは、前記第１レンズ群のｄ線におけるアッベ数（ｎd1−１）／（ｎF1−ｎC1）、
ｎd1は前記第１レンズ群のｄ線における屈折率、
ｎF1は前記第１レンズ群のＦ線における屈折率、
ｎC1は前記第１レンズ群のＣ線における屈折率、
β4tは、前記第４レンズ群の望遠端における横倍率、
β4wは、前記第４レンズ群の広角端における横倍率、
β3tは、前記第３レンズ群の望遠端における横倍率、
β3wは、前記第３レンズ群の広角端における横倍率、
である。
【請求項６】
物体側から順に、正の屈折力の第１レンズ群、負の屈折力の第２レンズ群、正の屈折力の第３レンズ群、正の屈折力の第４レンズ群で構成され、
前記第１レンズ群は１枚のレンズからなり、
前記第３レンズ群は３枚以上のレンズからなり、
以下の条件式（７ａ）、（８ｂ）を満足することを特徴とするズームレンズ。
７１＜νd_1G      （７ａ）
０．１＜（β2t／β2w）／（β3t／β3w）＜０．６５      （８ｂ）
ここで、
νd_1Gは、前記第１レンズ群のｄ線におけるアッベ数（ｎd1−１）／（ｎF1−ｎC1）、
ｎd1は前記第１レンズ群のｄ線における屈折率、
ｎF1は前記第１レンズ群のＦ線における屈折率、
ｎC1は前記第１レンズ群のＣ線における屈折率、
β2tは、前記第２レンズ群の望遠端における横倍率、
β2wは、前記第２レンズ群の広角端における横倍率、
β3tは、前記第３レンズ群の望遠端における横倍率、
β3wは、前記第３レンズ群の広角端における横倍率、
である。
【請求項７】
物体側から順に、正の屈折力の第１レンズ群、負の屈折力の第２レンズ群、正の屈折力の第３レンズ群、正の屈折力の第４レンズ群で構成され、
前記第１レンズ群は１枚のレンズからなり、
以下の条件式（７ａ）、（８ｃ）、（１０）を満足することを特徴とするズームレンズ。
７１＜νd_1G      （７ａ）
０．１＜（β2t／β2w）／（β3t／β3w）＜０．６２      （８ｃ）
０．７＜（β3t／β3w）／（ｆt／ｆw）＜１．１      （１０）
ここで、
νd_1Gは、前記第１レンズ群のｄ線におけるアッベ数（ｎd1−１）／（ｎF1−ｎC1）、
ｎd1は前記第１レンズ群のｄ線における屈折率、
ｎF1は前記第１レンズ群のＦ線における屈折率、
ｎC1は前記第１レンズ群のＣ線における屈折率、
β2tは、前記第２レンズ群の望遠端における横倍率、
β2wは、前記第２レンズ群の広角端における横倍率、
β3tは、前記第３レンズ群の望遠端における横倍率、
β3wは、前記第３レンズ群の広角端における横倍率、
ｆtは、前記ズームレンズ全系の望遠端での焦点距離、
ｆwは、前記ズームレンズ全系の広角端での焦点距離、
である。
【請求項８】
物体側から順に、正の屈折力の第１レンズ群、負の屈折力の第２レンズ群、正の屈折力の第３レンズ群、正の屈折力の第４レンズ群で構成され、
前記第１レンズ群は１枚のレンズからなり、
前記第４レンズ群は広角端から望遠端への変倍に際し物体側に移動し、
以下の条件式（７ａ）、（１０）、（１１）を満足することを特徴とするズームレンズ。
７１＜νd_1G      （７ａ）
０．７＜（β3t／β3w）／（ｆt／ｆw）＜１．１      （１０）
０．１＜（Δ1G／ｆ1）／（Δ4G／ｆ4）＜１．９      （１１）
ここで、
νd_1Gは、前記第１レンズ群のｄ線におけるアッベ数（ｎd1−１）／（ｎF1−ｎC1）、
ｎd1は前記第１レンズ群のｄ線における屈折率、
ｎF1は前記第１レンズ群のＦ線における屈折率、
ｎC1は前記第１レンズ群のＣ線における屈折率、
β3tは、前記第３レンズ群の望遠端における横倍率、
β3wは、前記第３レンズ群の広角端における横倍率、
ｆtは、前記ズームレンズ全系の望遠端での焦点距離、
ｆwは、前記ズームレンズ全系の広角端での焦点距離、
ｆ4は、前記第４レンズ群の焦点距離、
Δ4Gは、広角端に対する望遠端での前記第４レンズ群の移動量、
ｆ1は、前記第１レンズ群の焦点距離、
Δ1Gは、広角端に対する望遠端での前記第１レンズ群の移動量、
である。
【請求項９】
物体側から順に、正の屈折力の第１レンズ群、負の屈折力の第２レンズ群、正の屈折力の第３レンズ群、正の屈折力の第４レンズ群で構成され、
前記第１レンズ群は１枚のレンズからなり、
以下の条件式（７）、（１２）を満足することを特徴とするズームレンズ。
６５＜νd_1G      （７）
３＜β3t／β3w      （１２）
ここで、
νd_1Gは、前記第１レンズ群のｄ線におけるアッベ数（ｎd1−１）／（ｎF1−ｎC1）、
ｎd1は前記第１レンズ群のｄ線における屈折率、
ｎF1は前記第１レンズ群のＦ線における屈折率、
ｎC1は前記第１レンズ群のＣ線における屈折率、
β3tは、前記第３レンズ群の望遠端における横倍率、
β3wは、前記第３レンズ群の広角端における横倍率、
である。
【請求項１０】
以下の条件式（１３）を満足することを特徴とする請求項１から請求項９のいずれか１項に記載のズームレンズ。
Ｆｎｏ(T)＜４．１      （１３）
ここで、
Ｆｎｏ(T)は、望遠端での前記ズームレンズのＦナンバーである。
【請求項１１】
以下の条件式（９）を満足することを特徴とする請求項１から請求項４及び請求項６から請求項１０のいずれか１項に記載のズームレンズ。
０．０５＜（β4t／β4w）／（β3t／β3w）＜０．２７      （９）
ここで、
β4tは、前記第４レンズ群の望遠端における横倍率、
β4wは、前記第４レンズ群の広角端における横倍率、
β3tは、前記第３レンズ群の望遠端における横倍率、
β3wは、前記第３レンズ群の広角端における横倍率、
である。
【請求項１２】
以下の条件式（１０）を満足することを特徴とする請求項１から請求項６及び請求項９から請求項１０のいずれか１項に記載のズームレンズ。
０．７＜（β3t／β3w）／（ｆt／ｆw）＜１．１      （１０）
ここで、
β3tは、前記第３レンズ群の望遠端における横倍率、
β3wは、前記第３レンズ群の広角端における横倍率、
ｆtは、前記ズームレンズ全系の望遠端での焦点距離、
ｆwは、前記ズームレンズ全系の広角端での焦点距離、
である。
【請求項１３】
広角端から望遠端への変倍に際し前記第４レンズ群が物体側に移動し、
以下の条件式（１１）を満足することを特徴とする請求項１から請求項７及び請求項９から請求項１２のいずれか１項に記載のズームレンズ。
０．１＜（Δ1G／ｆ1）／（Δ4G／ｆ4）＜１．９      （１１）
ここで、
ｆ4は、前記第４レンズ群の焦点距離、
Δ4Gは、広角端に対する望遠端での前記第４レンズ群の移動量、
ｆ1は、前記第１レンズ群の焦点距離、
Δ1Gは、広角端に対する望遠端での前記第１レンズ群の移動量、
である。
【請求項１４】
以下の条件式（１４）を満足することを特徴とする請求項１から請求項１３のいずれか１項に記載のズームレンズ。
Ｌt／ｆt＜３．２      （１４）
ここで、
Ｌtは、前記ズームレンズ全系の望遠端での全長、
ｆtは、前記ズームレンズ全系の望遠端での焦点距離、
である。
【請求項１５】
以下の条件式（１５）を満足することを特徴とする請求項１から請求項１４のいずれか１項に記載のズームレンズ。
β4(T)＜０．７      （１５）
ここで、
β4(T)は、前記第４レンズ群の望遠端における横倍率、
である。
【請求項１６】
広角端から望遠端への変倍に際し前記第１レンズ群が移動することを特徴とする請求項１から請求項１５のいずれか１項に記載のズームレンズ。
【請求項１７】
以下の条件式（８ｂ）を満足することを特徴とする請求項１、請求項２、請求項５、及び請求項８から請求項１６のいずれか１項に記載のズームレンズ。
０．１＜（β2t／β2w）／（β3t／β3w）＜０．６５      （８ｂ）
ここで、
β2tは、前記第２レンズ群の望遠端における横倍率、
β2wは、前記第２レンズ群の広角端における横倍率、
β3tは、前記第３レンズ群の望遠端における横倍率、
β3wは、前記第３レンズ群の広角端における横倍率、
である。
【請求項１８】
広角端から望遠端への変倍に際し絞りが前記第３レンズ群と一体移動することを特徴とする請求項１から請求項１７のいずれか１項に記載のズームレンズ。
【請求項１９】
以下の条件式（１６）を満足することを特徴とする請求項１から請求項１８のいずれか１項に記載のズームレンズ。
１．５＜ｆ1／ｆt＜４．２      （１６）
ここで、
ｆ1は、前記第１レンズ群の焦点距離、
ｆtは、前記ズームレンズ全系の望遠端での焦点距離、
である。
【請求項２０】
以下の条件式（１７）を満足することを特徴とする請求項１から請求項１９のいずれか１項に記載のズームレンズ。
−１＜ｆ2／ｆ3＜−０．６      （１７）
ここで、
ｆ2は、前記第２レンズ群の焦点距離、
ｆ3は、前記第３レンズ群の焦点距離、
である。
【請求項２１】
以下の条件式（１８）を満足することを特徴とする請求項２０に記載のズームレンズ。
０．４５＜ｆ3／ｆt＜０．７      （１８）
ここで、
ｆ3は、前記第３レンズ群の焦点距離、
ｆtは、前記ズームレンズ全系の望遠端での焦点距離、
である。
【請求項２２】
以下の条件式（１９）を満足することを特徴とする請求項２０に記載のズームレンズ。
−０．６＜ｆ2／ｆt＜−０．３      （１９）
ここで、
ｆ2は、前記第２レンズ群の焦点距離、
ｆtは、前記ズームレンズ全系の望遠端での焦点距離、
である。
【請求項２３】
前記第３レンズ群は２成分以上を有し、
前記第３レンズ群の第１レンズ成分は正の屈折力を有し、
前記第３レンズ群の第２レンズ成分は負の屈折力を有し、
以下の条件式（２０）を満足することを特徴とする請求項１から請求項２２のいずれか１項に記載のズームレンズ。
０．１＜｜ｆ_3G1／ｆ_3G2｜＜０．６３      （２０）
ここで、
ｆ_3G1は、前記第３レンズ群の第１レンズ成分の焦点距離、
ｆ_3G2は、前記第３レンズ群の第２レンズ成分の焦点距離、
である。
【請求項２４】
前記第２レンズ成分は、正レンズと負レンズの接合レンズであり、
以下の条件式（２１）を満足することを特徴とする請求項２３に記載のズームレンズ。
１．４＜｜ｆ_3G2-p／ｆ_3G2-n｜＜１．９      （２１）
ここで、
ｆ_3G2-pは、前記第３レンズ群の第２レンズ成分の正レンズの焦点距離、
ｆ_3G2-nは、前記第３レンズ群の第２レンズ成分の負レンズの焦点距離、
である。
【請求項２５】
以下の条件式（２２）を満足することを特徴とする請求項２４に記載のズームレンズ。
−０．０５≦（ｎd_3G2-p）−（ｎd_3G2-n）        （２２）
ここで、
ｎd_3G2-pは、前記第３レンズ群の第２レンズ成分の正レンズの屈折率、
ｎd_3G2-nは、前記第３レンズ群の第２レンズ成分の負レンズの屈折率、
である。
【請求項２６】
ズームレンズと、前記ズームレンズの像側に配置され前記ズームレンズによって形成される像を受光する撮像面を備えた撮像素子とを有し、
前記ズームレンズが請求項１から請求項２５のいずれか１項に記載のズームレンズであることを特徴とする撮像装置。
【発明の詳細な説明】
【技術分野】
【０００１】
本発明は、ズームレンズ及びそれを用いた撮像装置、特にコンパクトなデジタルカメラに好適なものに関する。
【背景技術】
【０００２】
近年では、銀塩フィルムカメラに代わり、ＣＣＤやＣＭＯＳのような固体撮像素子を用いて被写体を撮影するようにしたデジタルカメラが主流となっている。更にそれは業務用高機能タイプからコンパクトな普及タイプまで幅広い範囲でいくつものカテゴリーを有するようになってきている。
【０００３】
このような普及タイプのデジタルカメラのユーザーは、いつでもどこでも手軽に幅広いシーンで撮影を楽しみたいという要望をもっている。そのため、小型な商品、特に服やカバンのポケット等への収納性がよく持ち運びが便利な、厚み方向のサイズが薄型であるタイプのデジタルカメラが好まれるようになっている。そのため、撮影レンズ系にもより一層の小型化が要望されている。
【０００４】
さらには、明暗度の大きな状態でも撮影を行えるよう、ダイナミックレンジの感度域を広げるなどの画像処理を行うデジタルカメラなども提案され、撮影条件を選ばない撮影が可能となってきている。このようなカメラでは、暗所を含む撮影において、ある程度明暗度の電子補正が可能ではあるが、さらに、レンズ口径の大きな明るいレンズを採用することにより、より暗所での撮影にも対応でき、撮影できる条件を広げることができる。
【０００５】
レンズ口径の大きな明るいレンズにおいては、少ない入射光量でも明瞭な撮影が可能である。これにより、動く被写体の連続撮影等においてシャッター速度をより高速に上げることが可能となるなど、撮影者に多くの撮影条件を選択することができることから、近年、レンズ口径の大きな明るいレンズが注目を浴びている。
【０００６】
一方、撮影領域を広げるという観点から高変倍ズームの要望も依然としてあり、更なる高変倍化も期待されている。
比較的高変倍比で口径の明るい、小型なズームレンズとしては、例えば特許文献１の実施例１として、物体側より１枚の正レンズより構成される第１レンズ群、負の第２レンズ群、正の第３レンズ群、正の第４レンズ群からなるズームレンズが開示されている。
【先行技術文献】
【特許文献】
【０００７】
【特許文献１】特開２００９−２７６７９４号公報
【発明の概要】
【発明が解決しようとする課題】
【０００８】
しかしながら、特許文献１の実施例１は広角端でのＦナンバーが２．０６と口径の大きな明るいズームレンズではあるが、明るさを確保するために、最も物体側のレンズ群の径を大きくしすぎてしまっており、コンパクトな構成を取るのが難しくなっている。また、このズームレンズは、変倍比も３倍程度の低い変倍比にとどまっている。
【０００９】
本発明はこのような問題点に鑑みてなされたものであり、その目的は、口径が大きくて明るい、高変倍なズームレンズでありながら、レンズ径が大きくなりすぎるのを抑えてコンパクトな構成を可能としたズームレンズを提供することにある。
【課題を解決するための手段】
【００１０】
上述した課題を解決し、目的を達成するために、本発明の第１の態様に係るズームレンズは、変倍時に複数のレンズ群を光軸方向に移動させることにより変倍を行うズームレンズにおいて、
最も物体側のレンズ群は正の屈折力を持ち、
最も物体側のレンズ群は１枚の正レンズからなり、
以下の条件式（１）、（２）を満足することを特徴とする。
Ｆｎｏ(W)＜２．７      （１）
３．１＜ｆt／ｆw      （２）
ここで、
Ｆｎｏ(W)は、広角端でのズームレンズのＦナンバー、
ｆtは、ズームレンズ全系の望遠端での焦点距離、
ｆwは、ズームレンズ全系の広角端での焦点距離、
である。
【００１１】
本発明の第２の態様に係るズームレンズは、物体側から順に、正の屈折力の第１レンズ群、負の屈折力の第２レンズ群、正の屈折力の第３レンズ群、正の屈折力の第４レンズ群で構成され、
以下の条件式（３）、（４）、（５）、（６）を満足することを特徴とする。
Σｄ1G／ｆt＜０．１３      （３）
Σｄ1G／Σｄ3G＜０．５      （４）
２．１＜ｆ3／ｆw      （５）
０．２＜Ｌ／Ｉ      （６）
ここで、
Σｄ1Gは、第１レンズ群の光軸上の厚みの総和、
ｆtは、ズームレンズ全系の望遠端での焦点距離、
Σｄ3Gは、第３レンズ群の光軸上の厚みの総和、
ｆ3は、第３レンズ群の焦点距離、
ｆwは、ズームレンズ全系の広角端での焦点距離、
Ｌは、第１レンズ群を構成する光学部材の光軸上の厚さ、
Ｉは、ズームレンズ全系の広角端での最大像高、
である。
【００１２】
本発明の第３の態様に係るズームレンズは、物体側から順に、正の屈折力の第１レンズ群、負の屈折力の第２レンズ群、正の屈折力の第３レンズ群、正の屈折力の第４レンズ群で構成され、
第１レンズ群は１枚のレンズからなり、
以下の条件式（７）、（８）を満足することを特徴とする。
６５＜νd_1G      （７）
０．１＜（β2t／β2w）／（β3t／β3w）＜０．４８３      （８）
ここで、
νd_1Gは、第１レンズ群のｄ線におけるアッベ数（ｎd1−１）／（ｎF1−ｎC1）、
ｎd1は第１レンズ群のｄ線における屈折率、
ｎF1は第１レンズ群のＦ線における屈折率、
ｎC1は第１レンズ群のＣ線における屈折率、
β2tは、第２レンズ群の望遠端における横倍率、
β2wは、第２レンズ群の広角端における横倍率、
β3tは、第３レンズ群の望遠端における横倍率、
β3wは、第３レンズ群の広角端における横倍率、
である。
【００１３】
本発明の第４の態様に係るズームレンズは、物体側から順に、正の屈折力の第１レンズ群、負の屈折力の第２レンズ群、正の屈折力の第３レンズ群、正の屈折力の第４レンズ群で構成され、
第１レンズ群は１枚のレンズからなり、
以下の条件式（７ａ）、（８ａ）を満足することを特徴とする。
７１＜νd_1G      （７ａ）
０．１＜（β2t／β2w）／（β3t／β3w）＜０．６      （８ａ）
ここで、
νd_1Gは、第１レンズ群のｄ線におけるアッベ数（ｎd1−１）／（ｎF1−ｎC1）、
ｎd1は第１レンズ群のｄ線における屈折率、
ｎF1は第１レンズ群のＦ線における屈折率、
ｎC1は第１レンズ群のＣ線における屈折率、
β2tは、第２レンズ群の望遠端における横倍率、
β2wは、第２レンズ群の広角端における横倍率、
β3tは、第３レンズ群の望遠端における横倍率、
β3wは、第３レンズ群の広角端における横倍率、
である。
【００１４】
本発明の第５の態様に係るズームレンズは、物体側から順に、正の屈折力の第１レンズ群、負の屈折力の第２レンズ群、正の屈折力の第３レンズ群、正の屈折力の第４レンズ群で構成され、
第１レンズ群は１枚のレンズからなり、
以下の条件式（７）、（９）を満足することを特徴とする。
６５＜νd_1G      （７）
０．０５＜（β4t／β4w）／（β3t／β3w）＜０．２７      （９）
ここで、
νd_1Gは、第１レンズ群のｄ線におけるアッベ数（ｎd1−１）／（ｎF1−ｎC1）、
ｎd1は第１レンズ群のｄ線における屈折率、
ｎF1は第１レンズ群のＦ線における屈折率、
ｎC1は第１レンズ群のＣ線における屈折率、
β4tは、第４レンズ群の望遠端における横倍率、
β4wは、第４レンズ群の広角端における横倍率、
β3tは、第３レンズ群の望遠端における横倍率、
β3wは、第３レンズ群の広角端における横倍率、
である。
【００１５】
本発明の第６の態様に係るズームレンズは、物体側から順に、正の屈折力の第１レンズ群、負の屈折力の第２レンズ群、正の屈折力の第３レンズ群、正の屈折力の第４レンズ群で構成され、
第１レンズ群は１枚のレンズからなり、
第３レンズ群は３枚以上のレンズからなり、
以下の条件式（７ａ）、（８ｂ）を満足することを特徴とする。
７１＜νd_1G      （７ａ）
０．１＜（β2t／β2w）／（β3t／β3w）＜０．６５      （８ｂ）
ここで、
νd_1Gは、第１レンズ群のｄ線におけるアッベ数（ｎd1−１）／（ｎF1−ｎC1）、
ｎd1は第１レンズ群のｄ線における屈折率、
ｎF1は第１レンズ群のＦ線における屈折率、
ｎC1は第１レンズ群のＣ線における屈折率、
β2tは、第２レンズ群の望遠端における横倍率、
β2wは、第２レンズ群の広角端における横倍率、
β3tは、第３レンズ群の望遠端における横倍率、
β3wは、第３レンズ群の広角端における横倍率、
である。
【００１６】
本発明の第７の態様に係るズームレンズは、物体側から順に、正の屈折力の第１レンズ群、負の屈折力の第２レンズ群、正の屈折力の第３レンズ群、正の屈折力の第４レンズ群で構成され、
第１レンズ群は１枚のレンズからなり、
以下の条件式（７ａ）、（８ｃ）、（１０）を満足することを特徴とする。
７１＜νd_1G      （７ａ）
０．１＜（β2t／β2w）／（β3t／β3w）＜０．６２      （８ｃ）
０．７＜（β3t／β3w）／（ｆt／ｆw）＜１．１      （１０）
ここで、
νd_1Gは、第１レンズ群のｄ線におけるアッベ数（ｎd1−１）／（ｎF1−ｎC1）、
ｎd1は第１レンズ群のｄ線における屈折率、
ｎF1は第１レンズ群のＦ線における屈折率、
ｎC1は第１レンズ群のＣ線における屈折率、
β2tは、第２レンズ群の望遠端における横倍率、
β2wは、第２レンズ群の広角端における横倍率、
β3tは、第３レンズ群の望遠端における横倍率、
β3wは、第３レンズ群の広角端における横倍率、
ｆtは、ズームレンズ全系の望遠端での焦点距離、
ｆwは、ズームレンズ全系の広角端での焦点距離、
である。
【００１７】
本発明の第８の態様に係るズームレンズは、物体側から順に、正の屈折力の第１レンズ群、負の屈折力の第２レンズ群、正の屈折力の第３レンズ群、正の屈折力の第４レンズ群で構成され、
第１レンズ群は１枚のレンズからなり、
第４レンズ群は広角端から望遠端への変倍に際し物体側に移動し、
以下の条件式（７ａ）、（１０）、（１１）を満足することを特徴とする。
７１＜νd_1G      （７ａ）
０．７＜（β3t／β3w）／（ｆt／ｆw）＜１．１      （１０）
０．１＜（Δ1G／ｆ1）／（Δ4G／ｆ4）＜１．９      （１１）
ここで、
νd_1Gは、第１レンズ群のｄ線におけるアッベ数（ｎd1−１）／（ｎF1−ｎC1）、
ｎd1は第１レンズ群のｄ線における屈折率、
ｎF1は第１レンズ群のＦ線における屈折率、
ｎC1は第１レンズ群のＣ線における屈折率、
β3tは、第３レンズ群の望遠端における横倍率、
β3wは、第３レンズ群の広角端における横倍率、
ｆtは、ズームレンズ全系の望遠端での焦点距離、
ｆwは、ズームレンズ全系の広角端での焦点距離、
ｆ4は、第４レンズ群の焦点距離、
Δ4Gは、広角端に対する望遠端での第４レンズ群の移動量、
ｆ1は、第１レンズ群の焦点距離、
Δ1Gは、広角端に対する望遠端での第１レンズ群の移動量、
である。
【００１８】
本発明の第９の態様に係るズームレンズは、物体側から順に、正の屈折力の第１レンズ群、負の屈折力の第２レンズ群、正の屈折力の第３レンズ群、正の屈折力の第４レンズ群で構成され、
第１レンズ群は１枚のレンズからなり、
以下の条件式（７）、（１２）を満足することを特徴とする。
６５＜νd_1G      （７）
３＜β3t／β3w      （１２）
ここで、
νd_1Gは、第１レンズ群のｄ線におけるアッベ数（ｎd1−１）／（ｎF1−ｎC1）、
ｎd1は第１レンズ群のｄ線における屈折率、
ｎF1は第１レンズ群のＦ線における屈折率、
ｎC1は第１レンズ群のＣ線における屈折率、
β3tは、第３レンズ群の望遠端における横倍率、
β3wは、第３レンズ群の広角端における横倍率、
である。
【００１９】
本発明に係る撮像装置は、ズームレンズと、ズームレンズの像側に配置されズームレンズによって形成される像を受光する撮像面を備えた撮像素子とを有し、
ズームレンズが上述のいずれかのズームレンズであることを特徴とする。
【発明の効果】
【００２０】
本発明に係るズームレンズは、口径が大きくて明るい、高変倍なズームレンズでありながら、レンズ径が大きくなりすぎるのを抑えてコンパクトな構成を可能にする、という効果を奏する。
【図面の簡単な説明】
【００２１】
【図１】本発明のズームレンズの実施例１の無限遠物点合焦時の広角端（ａ）、中間状態（ｂ）、望遠端（ｃ）でのレンズ断面図である。
【図２】本発明のズームレンズの実施例２の無限遠物点合焦時の広角端（ａ）、中間状態（ｂ）、望遠端（ｃ）でのレンズ断面図である。
【図３】本発明のズームレンズの実施例３の無限遠物点合焦時の広角端（ａ）、中間状態（ｂ）、望遠端（ｃ）でのレンズ断面図である。
【図４】本発明のズームレンズの実施例４の無限遠物点合焦時の広角端（ａ）、中間状態（ｂ）、望遠端（ｃ）でのレンズ断面図である。
【図５】本発明のズームレンズの実施例５の無限遠物点合焦時の広角端（ａ）、中間状態（ｂ）、望遠端（ｃ）でのレンズ断面図である。
【図６】本発明のズームレンズの実施例６の無限遠物点合焦時の広角端（ａ）、中間状態（ｂ）、望遠端（ｃ）でのレンズ断面図である。
【図７】実施例１の無限遠物点合焦時の収差図である。
【図８】実施例２の無限遠物点合焦時の収差図である。
【図９】実施例３の無限遠物点合焦時の収差図である。
【図１０】実施例４の無限遠物点合焦時の収差図である。
【図１１】実施例５の無限遠物点合焦時の収差図である。
【図１２】実施例６の無限遠物点合焦時の収差図である。
【図１３】本発明のズームレンズを用い、撮像素子として小型のＣＣＤ又はＣＭＯＳなどを用いた撮像装置としてのコンパクトカメラの断面図である。
【図１４】撮像装置としてのデジタルカメラの外観を示す前方斜視図である。
【図１５】撮像装置としてのデジタルカメラの外観を示す後方斜視図である。
【図１６】デジタルカメラの主要部の内部回路を示すブロック図である。
【発明を実施するための形態】
【００２２】
以下に、本発明に係るズームレンズ及びそれを用いた撮像装置の実施例を図面に基づいて詳細に説明する。なお、この実施例によりこの発明が限定されるものではない。
まず、実施例の説明に先立ち、本実施形態の撮像光学系の作用効果について説明する。
【００２３】
本実施形態に係るズームレンズは、変倍時に複数のレンズ群を光軸方向に移動させることにより変倍を行うズームレンズにおいて、
最も物体側のレンズ群は正の屈折力を持ち、
最も物体側のレンズ群は１枚の正レンズからなり、
以下の条件式（１）、（２）を満足することを特徴とする。
Ｆｎｏ(W)＜２．７      （１）
３．１＜ｆt／ｆw      （２）
ここで、
Ｆｎｏ(W)は、広角端でのズームレンズのＦナンバー、
ｆtは、ズームレンズ全系の望遠端での焦点距離、
ｆwは、ズームレンズ全系の広角端での焦点距離、
である。
【００２４】
最も物体側のレンズ群を１枚の正レンズで構成することにより、第１レンズ群のレンズを薄くすることができ、これにより第１レンズ群のレンズ径を小さくできる。したがって、ズームレンズの小型化及びコストダウンを図ることができる。
【００２５】
条件式（１）を満足することにより、口径が大きく、広角端において所定の明るさを確保できる。
条件式（２）は、高変倍なズームレンズであることを規定する条件式である。
【００２６】
本実施形態に係るズームレンズは、物体側から順に、正の屈折力の第１レンズ群、負の屈折力の第２レンズ群、正の屈折力の第３レンズ群、正の屈折力の第４レンズ群で構成され、
以下の条件式（３）、（４）、（５）、（６）を満足することを特徴とする。
Σｄ1G／ｆt＜０．１３      （３）
Σｄ1G／Σｄ3G＜０．５      （４）
２．１＜ｆ3／ｆw      （５）
０．２＜Ｌ／Ｉ      （６）
ここで、
Σｄ1Gは、第１レンズ群の光軸上の厚みの総和、
ｆtは、ズームレンズ全系の望遠端での焦点距離、
Σｄ3Gは、第３レンズ群の光軸上の厚みの総和、
ｆ3は、第３レンズ群の焦点距離、
ｆwは、ズームレンズ全系の広角端での焦点距離、
Ｌは、第１レンズ群を構成する光学部材の光軸上の厚さ、
Ｉは、ズームレンズ全系の広角端での最大像高、
である。
【００２７】
このように、物体側から順に、正、負、正、正の屈折力のレンズ群で構成して正先行にすることにより、負先行より変倍群が多くなる。これにより、次の（Ａ−１）、（Ａ−２）の効果を奏する。
（Ａ−１）第２レンズ群以降の変倍群の負担が低減されるため、Ｆナンバーの変動を小さくすることができる。したがって、望遠端まで明るいズームレンズにすることが可能となる。
（Ａ−２）高変倍化した際に、第２レンズ群以降の変倍群の負担が軽減されるため、収差変動を抑制することができる。したがって、高変倍かつ収差性能の良いズームレンズにすることが可能となる。
【００２８】
条件式（３）は、第１レンズ群の光軸上の厚みの総和とズームレンズ全系の望遠端での焦点距離の関係を規定する条件式である。
条件式（３）の上限を上回ると第１レンズ群が厚くなるため、第１レンズ群のレンズ径が大きくなる。
【００２９】
条件式（４）は、第１レンズ群の光軸上の厚みの総和と第３レンズ群の光軸上の厚みの総和のバランスに関して規定する条件式である。
第３レンズ群の全長を長くすることで、球面収差及びコマ収差の発生を抑制することができる。
条件式（４）の上限を上回ると、第１レンズ群が厚くなるため、第１レンズ群のレンズ径が大きくなる。また、第３レンズ群の厚みの総和が小さくなると、屈折力を保とうとすることにより、発生する収差が大きくなる。
【００３０】
条件式（５）は、第３レンズ群の焦点距離とズームレンズ全系の広角端での焦点距離の関係を規定する条件式である。
条件式（５）の下限を下回ると第３レンズ群の屈折力が大きくなるため、球面修正及びコマ収差が大きくなる。
【００３１】
条件式（６）は、第１レンズ群を構成する光学部材の光軸上の厚さとズームレンズ全系の広角端での最大像高の関係を規定する条件式である。
【００３２】
本実施形態に係るズームレンズは、物体側から順に、正の屈折力の第１レンズ群、負の屈折力の第２レンズ群、正の屈折力の第３レンズ群、正の屈折力の第４レンズ群で構成され、
第１レンズ群は１枚のレンズからなり、
以下の条件式（７）、（８）を満足することを特徴とする。
６５＜νd_1G      （７）
０．１＜（β2t／β2w）／（β3t／β3w）＜０．４８３      （８）
ここで、
νd_1Gは、第１レンズ群のｄ線におけるアッベ数（ｎd1−１）／（ｎF1−ｎC1）、
ｎd1は第１レンズ群のｄ線における屈折率、
ｎF1は第１レンズ群のＦ線における屈折率、
ｎC1は第１レンズ群のＣ線における屈折率、
β2tは、第２レンズ群の望遠端における横倍率、
β2wは、第２レンズ群の広角端における横倍率、
β3tは、第３レンズ群の望遠端における横倍率、
β3wは、第３レンズ群の広角端における横倍率、
である。
【００３３】
このように、物体側から順に、正、負、正、正の屈折力のレンズ群で構成して正先行にすることにより、負先行より変倍群が多くなる。これにより、上述の（Ａ−１）、（Ａ−２）の効果を奏する。
【００３４】
物体側から順に、正、負、正、正の屈折力のレンズ群を配したとき、明るくコンパクトな構成にするには、第１レンズ群１枚にして、条件式（７）、（８）を満たすと良い。
【００３５】
条件式（７）は、第１レンズ群のｄ線におけるアッベ数を規定した条件式である。
条件式（７）の下限を下回ると色収差の発生が大きくなる。
【００３６】
条件式（８）は、第２レンズ群の望遠端及び広角端における横倍率と第３レンズ群の望遠端及び広角端における横倍率の関係を規定する条件式である。
条件式（８）の上限を上回ると第２レンズ群の変倍負担が大きくなる。このため、広角端において、像面湾曲、倍率色収差等が大きくなる。これに対して、収差を抑制するにはレンズ枚数を増やす必要があるため、小型化が困難となる。
【００３７】
条件式（８）の下限を下回ると、第３レンズ群の変倍負担が過剰に大きくなる。したがって、球面収差やコマ収差等が大きくなり、軸上色収差の変動が大きくなる。
【００３８】
本実施形態に係るズームレンズは、物体側から順に、正の屈折力の第１レンズ群、負の屈折力の第２レンズ群、正の屈折力の第３レンズ群、正の屈折力の第４レンズ群で構成され、
第１レンズ群は１枚のレンズからなり、
以下の条件式（７ａ）、（８ａ）を満足することを特徴とする。
７１＜νd_1G      （７ａ）
０．１＜（β2t／β2w）／（β3t／β3w）＜０．６      （８ａ）
ここで、
νd_1Gは、第１レンズ群のｄ線におけるアッベ数（ｎd1−１）／（ｎF1−ｎC1）、
ｎd1は第１レンズ群のｄ線における屈折率、
ｎF1は第１レンズ群のＦ線における屈折率、
ｎC1は第１レンズ群のＣ線における屈折率、
β2tは、第２レンズ群の望遠端における横倍率、
β2wは、第２レンズ群の広角端における横倍率、
β3tは、第３レンズ群の望遠端における横倍率、
β3wは、第３レンズ群の広角端における横倍率、
である。
【００３９】
条件式（７ａ）は、第１レンズ群のｄ線におけるアッベ数を規定する条件式である。条件式（７ａ）の下限を下回ると色収差が大きくなる。
【００４０】
条件式（８ａ）は、第２レンズ群の望遠端及び広角端における横倍率と第３レンズ群の望遠端及び広角端における横倍率の関係を規定する条件式である。
条件式（８ａ）の上限を上回ると、第２レンズ群の変倍負担が大きくなるため、広角端での像面湾曲・倍率色収差等が大きくなる。これに対して、収差を抑制するにはレンズ枚数を増やす必要があるため、小型化が困難となる。
【００４１】
条件式（８ａ）の下限を下回ると、第３レンズ群の変倍負担が過剰に大きくなるため、球面・コマ収差等が大きくなり、軸上色収差の変動が大きくなる。
【００４２】
本実施形態に係るズームレンズは、物体側から順に、正の屈折力の第１レンズ群、負の屈折力の第２レンズ群、正の屈折力の第３レンズ群、正の屈折力の第４レンズ群で構成され、
第１レンズ群は１枚のレンズからなり、
以下の条件式（７）、（９）を満足することを特徴とする。
６５＜νd_1G      （７）
０．０５＜（β4t／β4w）／（β3t／β3w）＜０．２７      （９）
ここで、
νd_1Gは、第１レンズ群のｄ線におけるアッベ数（ｎd1−１）／（ｎF1−ｎC1）、
ｎd1は第１レンズ群のｄ線における屈折率、
ｎF1は第１レンズ群のＦ線における屈折率、
ｎC1は第１レンズ群のＣ線における屈折率、
β4tは、第４レンズ群の望遠端における横倍率、
β4wは、第４レンズ群の広角端における横倍率、
β3tは、第３レンズ群の望遠端における横倍率、
β3wは、第３レンズ群の広角端における横倍率、
である。
【００４３】
条件式（７）は、第１レンズ群のｄ線におけるアッベ数を規定した条件式である。
条件式（７）の下限を下回ると倍率色収差が大きくなる。
【００４４】
条件式（９）は、全長を抑制するための第３レンズ群と第４レンズ群の変倍比バランスに関して規定する条件式である。
条件式（９）の上限を上回ると、第４レンズ群のコンペンセータとしての役割が小さくなることから、ズームレンズの全長が大きくなる。
【００４５】
条件式（９）の下限を下回ると、第３レンズ群の変倍負担が過剰に大きくなる。このため、球面収差・コマ収差等が大きくなり、軸上色収差の変動が大きくなる。
【００４６】
本実施形態に係るズームレンズは、物体側から順に、正の屈折力の第１レンズ群、負の屈折力の第２レンズ群、正の屈折力の第３レンズ群、正の屈折力の第４レンズ群で構成され、
第１レンズ群は１枚のレンズからなり、
第３レンズ群は３枚以上のレンズからなり、
以下の条件式（７ａ）、（８ｂ）を満足することを特徴とする。
７１＜νd_1G      （７ａ）
０．１＜（β2t／β2w）／（β3t／β3w）＜０．６５      （８ｂ）
ここで、
νd_1Gは、第１レンズ群のｄ線におけるアッベ数（ｎd1−１）／（ｎF1−ｎC1）、
ｎd1は第１レンズ群のｄ線における屈折率、
ｎF1は第１レンズ群のＦ線における屈折率、
ｎC1は第１レンズ群のＣ線における屈折率、
β2tは、第２レンズ群の望遠端における横倍率、
β2wは、第２レンズ群の広角端における横倍率、
β3tは、第３レンズ群の望遠端における横倍率、
β3wは、第３レンズ群の広角端における横倍率、
である。
【００４７】
第３レンズ群を３枚以上のレンズとすることで、球面収差、コマ収差、色収差等の諸収差の発生を効率的に抑制可能となる。
【００４８】
条件式（７ａ）は、第１レンズ群のｄ線におけるアッベ数を規定する条件式である。
条件式（７ａ）の下限を下回ると倍率色収差が大きくなる。
【００４９】
条件式（８ｂ）は、第２レンズ群の望遠端及び広角端における横倍率と第３レンズ群の望遠端及び広角端における横倍率の関係を規定する条件式である。
条件式（８ｂ）の上限を上回ると、第２レンズ群の変倍負担が大きくなるため、広角端での像面湾曲・倍率色収差等が大きくなる。これに対して、収差を抑制するにはレンズ枚数を増やす必要があるが、枚数を増やすとズームレンズの小型化が困難となる。
【００５０】
条件式（８ｂ）の下限を下回ると、第３レンズ群の変倍負担が過剰に大きくなるため、球面収差・コマ収差等が大きくなり、軸上色収差の変動が大きくなる。
【００５１】
本実施形態に係るズームレンズは、物体側から順に、正の屈折力の第１レンズ群、負の屈折力の第２レンズ群、正の屈折力の第３レンズ群、正の屈折力の第４レンズ群で構成され、
第１レンズ群は１枚のレンズからなり、
以下の条件式（７ａ）、（８ｃ）、（１０）を満足することを特徴とする。
７１＜νd_1G      （７ａ）
０．１＜（β2t／β2w）／（β3t／β3w）＜０．６２      （８ｃ）
０．７＜（β3t／β3w）／（ｆt／ｆw）＜１．１      （１０）
ここで、
νd_1Gは、第１レンズ群のｄ線におけるアッベ数（ｎd1−１）／（ｎF1−ｎC1）、
ｎd1は第１レンズ群のｄ線における屈折率、
ｎF1は第１レンズ群のＦ線における屈折率、
ｎC1は第１レンズ群のＣ線における屈折率、
β2tは、第２レンズ群の望遠端における横倍率、
β2wは、第２レンズ群の広角端における横倍率、
β3tは、第３レンズ群の望遠端における横倍率、
β3wは、第３レンズ群の広角端における横倍率、
ｆtは、ズームレンズ全系の望遠端での焦点距離、
ｆwは、ズームレンズ全系の広角端での焦点距離、
である。
【００５２】
条件式（７ａ）は、第１レンズ群のｄ線におけるアッベ数を規定する条件式である。
条件式（７ａ）の下限を下回ると倍率色収差が大きくなる。
【００５３】
条件式（８ｃ）は、第２レンズ群の望遠端及び広角端における横倍率と第３レンズ群の望遠端及び広角端における横倍率の関係を規定する条件式である。
条件式（８ｃ）の上限を上回ると、第２レンズ群の変倍負担が大きくなるため、広角端での像面湾曲・倍率色収差等が大きくなる。これに対して、収差を抑制するにはレンズ枚数を増やす必要があるが、枚数を増やすとズームレンズの小型化が困難になる。
【００５４】
条件式（８ｃ）の下限を下回ると、第３レンズ群の変倍負担が過剰に大きくなり、球面収差・コマ収差等が大きくなり、軸上色収差の変動が大きくなる。
【００５５】
条件式（１０）は、第３レンズ群の変倍負担割合を規定する条件式である。
条件式（１０）の上限を上回ると、第３レンズ群変倍負担が過剰に大きくなるため、ズームレンズの全長が大きくなり、球面収差やコマ収差が顕著になる。
【００５６】
条件式（１０）の下限を下回ると、第３レンズ群の変倍負担が小さくなるため、変倍を他のレンズ群で負担する必要がある。このため、像面湾曲・倍率色収差等が大きくなる。また、変倍を負担するために第３レンズ群以外のレンズ群の総厚を大きくすると、ズームレンズの小型化が困難になる。
【００５７】
本実施形態に係るズームレンズは、物体側から順に、正の屈折力の第１レンズ群、負の屈折力の第２レンズ群、正の屈折力の第３レンズ群、正の屈折力の第４レンズ群で構成され、
第１レンズ群は１枚のレンズからなり、
第４レンズ群は広角端から望遠端への変倍に際し物体側に移動し、
以下の条件式（７ａ）、（１０）、（１１）を満足することを特徴とする。
７１＜νd_1G      （７ａ）
０．７＜（β3t／β3w）／（ｆt／ｆw）＜１．１      （１０）
０．１＜（Δ1G／ｆ1）／（Δ4G／ｆ4）＜１．９      （１１）
ここで、
νd_1Gは、第１レンズ群のｄ線におけるアッベ数（ｎd1−１）／（ｎF1−ｎC1）、
ｎd1は第１レンズ群のｄ線における屈折率、
ｎF1は第１レンズ群のＦ線における屈折率、
ｎC1は第１レンズ群のＣ線における屈折率、
β3tは、第３レンズ群の望遠端における横倍率、
β3wは、第３レンズ群の広角端における横倍率、
ｆtは、ズームレンズ全系の望遠端での焦点距離、
ｆwは、ズームレンズ全系の広角端での焦点距離、
ｆ4は、第４レンズ群の焦点距離、
Δ4Gは、広角端に対する望遠端での第４レンズ群の移動量、
ｆ1は、第１レンズ群の焦点距離、
Δ1Gは、広角端に対する望遠端での第１レンズ群の移動量、
である。
【００５８】
条件式（７ａ）は、第１レンズ群のｄ線におけるアッベ数を規定する条件式である。
条件式（７ａ）の下限を下回ると色収差が大きくなる。
【００５９】
条件式（１０）は、第３レンズ群の変倍負担割合を規定する条件式である。
条件式（１０）の上限を上回ると、第３レンズ群変倍負担が過剰に大きくなるため、ズームレンズの全長が大きくなり、球面収差やコマ収差が顕著になる。
【００６０】
条件式（１０）の下限を下回ると、第３レンズ群の変倍負担が小さくなるため、変倍を他のレンズ群で負担する必要がある。このため、像面湾曲・倍率色収差等が大きくなる。また、変倍を負担するために第３レンズ群以外のレンズ群の総厚を大きくすると、ズームレンズの小型化が困難になる。
【００６１】
条件式（１１）は、第１レンズ群及び第４レンズ群の焦点距離、並びに、広角端に対する望遠端での第１レンズ群及び第４レンズ群の移動量の関係を規定する条件式である。
条件式（１１）の上限を上回ると、第１レンズ群でのコンペンセータの役割が過剰に大きくなるため、第１レンズ群の移動量が大きくなる。これにより、ズームレンズの全長が大きくなるとともに、色収差の変動が大きくなる。
【００６２】
条件式（１１）の下限を下回ると、第４レンズ群でのコンペンセータの役割が過剰に大きくなることから、第４レンズ群の移動量が大きくなり、これにより色収差の変動が大きくなる。
【００６３】
本実施形態に係るズームレンズは、物体側から順に、正の屈折力の第１レンズ群、負の屈折力の第２レンズ群、正の屈折力の第３レンズ群、正の屈折力の第４レンズ群で構成され、
第１レンズ群は１枚のレンズからなり、
以下の条件式（７）、（１２）を満足することを特徴とする。
６５＜νd_1G      （７）
３＜β3t／β3w      （１２）
ここで、
νd_1Gは、第１レンズ群のｄ線におけるアッベ数（ｎd1−１）／（ｎF1−ｎC1）、
ｎd1は第１レンズ群のｄ線における屈折率、
ｎF1は第１レンズ群のＦ線における屈折率、
ｎC1は第１レンズ群のＣ線における屈折率、
β3tは、第３レンズ群の望遠端における横倍率、
β3wは、第３レンズ群の広角端における横倍率、
である。
【００６４】
条件式（７）は、第１レンズ群のｄ線におけるアッベ数を規定した条件式である。
条件式（７）の下限を下回ると倍率色収差が大きくなる。
【００６５】
条件式（１２）は、高変倍化のために規定した条件式である。
【００６６】
本実施形態に係るズームレンズにおいては、以下の条件式（１３）を満足することが好ましい。
Ｆｎｏ(T)＜４．１      （１３）
ここで、
Ｆｎｏ(T)は、望遠端でのズームレンズのＦナンバーである。
【００６７】
条件式（１３）は、望遠端において明るさを確保するために規定した条件式である。
【００６８】
本実施形態に係るズームレンズにおいては、以下の条件式（９）を満足することが好ましい。
０．０５＜（β4t／β4w）／（β3t／β3w）＜０．２７      （９）
ここで、
β4tは、第４レンズ群の望遠端における横倍率、
β4wは、第４レンズ群の広角端における横倍率、
β3tは、第３レンズ群の望遠端における横倍率、
β3wは、第３レンズ群の広角端における横倍率、
である。
【００６９】
条件式（９）は、ズームレンズの全長を抑制するために、第３レンズ群と第４レンズ群の変倍比のバランスを規定する条件式である。
条件式（９）の上限を上回ると、第４レンズ群のコンペンセータとしての役割が小さくなるため、ズームレンズの全長が大きくなる。
【００７０】
条件式（９）の下限を下回ると、第３レンズ群の変倍負担が過剰に大きくなるため、球面収差・コマ収差等が大きくなり、軸上色収差の変動が大きくなる。
【００７１】
本実施形態に係るズームレンズにおいては、以下の条件式（１０）を満足することが好ましい。
０．７＜（β3t／β3w）／（ｆt／ｆw）＜１．１      （１０）
ここで、
β3tは、第３レンズ群の望遠端における横倍率、
β3wは、第３レンズ群の広角端における横倍率、
ｆtは、ズームレンズ全系の望遠端での焦点距離、
ｆwは、ズームレンズ全系の広角端での焦点距離、
である。
【００７２】
条件式（１０）は、第３レンズ群の変倍負担割合を規定した条件式である。
条件式（１０）の上限を上回ると、第３レンズ群変倍負担が過剰に大きくなるため、ズームレンズの全長が大きくなり、球面収差やコマ収差が顕著になる。
【００７３】
条件式（１０）の下限を下回ると、第３レンズ群の変倍負担が小さくなるため、変倍を他のレンズ群で負担する必要がある。このため、像面湾曲・倍率色収差等が大きくなる。
【００７４】
本実施形態に係るズームレンズにおいては、広角端から望遠端への変倍に際し第４レンズ群が物体側に移動し、
以下の条件式（１１）を満足することが好ましい。
０．１＜（Δ1G／ｆ1）／（Δ4G／ｆ4）＜１．９      （１１）
ここで、
ｆ4は、第４レンズ群の焦点距離、
Δ4Gは、広角端に対する望遠端での第４レンズ群の移動量、
ｆ1は、第１レンズ群の焦点距離、
Δ1Gは、広角端に対する望遠端での第１レンズ群の移動量、
である。
【００７５】
条件式（１１）は、第１レンズ群及び第４レンズ群の焦点距離、並びに、広角端に対する望遠端での第１レンズ群及び第４レンズ群の移動量の関係を規定する条件式である。
条件式（１１）の上限を上回ると、第１レンズ群でのコンペンセータの役割が過剰に大きくなるため、第１レンズ群の移動量が大きくなる。これにより、ズームレンズの全長が大きくなるとともに、色収差の変動が大きくなる。
【００７６】
条件式（１１）の下限を下回ると、第４レンズ群でのコンペンセータの役割が過剰に大きくなることから、第４レンズ群の移動量が大きくなり、これにより色収差の変動が大きくなる。
【００７７】
本実施形態に係るズームレンズにおいては、以下の条件式（１４）を満足することが好ましい。
Ｌt／ｆt＜３．２      （１４）
ここで、
Ｌtは、ズームレンズ全系の望遠端での全長、
ｆtは、ズームレンズ全系の望遠端での焦点距離、
である。
【００７８】
条件式（１４）は、コンパクトな構成を確保するための条件を規定した条件式である。条件式（１４）を上限を上回ると、ズームレンズ全系の望遠端での全長が長くなり、コンパクトな構成を確保することが困難になる。
【００７９】
本実施形態に係るズームレンズにおいては、以下の条件式（１５）を満足することが好ましい。
β4(T)＜０．７      （１５）
ここで、
β4(T)は、第４レンズ群の望遠端における横倍率、
である。
【００８０】
条件式（１５）を満足することにより、第４レンズ群にＦＣ感度を持たせることで、像位置を補正をし、望遠端での全長を短くすることができる。
条件式（１５）の上限を上回るとＦＣ感度が小さくなる。
【００８１】
本実施形態に係るズームレンズにおいては、広角端から望遠端への変倍に際し第１レンズ群が移動することが好ましい。
【００８２】
第１レンズ群を移動させることで、第１レンズ群がコンペンセータの役割を担うため、ズームレンズの全長を抑制することができる。
【００８３】
本実施形態に係るズームレンズにおいては、以下の条件式（８ｂ）を満足することが好ましい。
０．１＜（β2t／β2w）／（β3t／β3w）＜０．６５      （８ｂ）
ここで、
β2tは、第２レンズ群の望遠端における横倍率、
β2wは、第２レンズ群の広角端における横倍率、
β3tは、第３レンズ群の望遠端における横倍率、
β3wは、第３レンズ群の広角端における横倍率、
である。
【００８４】
条件式（８ｂ）は、第２レンズ群の望遠端及び広角端における横倍率と第３レンズ群の望遠端及び広角端における横倍率の関係を規定する条件式である。
条件式（８ｂ）の上限を上回ると、第２レンズ群の変倍負担が大きくなるため、広角端での像面湾曲・倍率色収差等が大きくなる。これに対して、収差を抑制するにはレンズ枚数を増やす必要あるが、枚数を増やすとズームレンズの小型化が困難になる。
【００８５】
条件式（８ｂ）の下限を下回ると、第３レンズ群の変倍負担が過剰に大きくなり、球面収差・コマ収差等が大きくなり、軸上色収差の変動が大きくなる。
【００８６】
本実施形態に係るズームレンズにおいては、広角端から望遠端への変倍に際し絞りが第３レンズ群と一体移動することが好ましい。
【００８７】
物体側から順に、正、負、正、正の屈折力のレンズ群で構成した場合、最も物体側に負の屈折力のレンズ群を配置した場合より変倍群が多いため、変倍群の負担を低減できる。したがって、変倍群である第３レンズ群の負担を低減できるため、絞りが第３レンズ群と一体で移動する場合、Ｆナンバーの変動を抑制することが可能となる。
【００８８】
本実施形態に係るズームレンズにおいては、以下の条件式（１６）を満足することが好ましい。
１．５＜ｆ1／ｆt＜４．２      （１６）
ここで、
ｆ1は、第１レンズ群の焦点距離、
ｆtは、ズームレンズ全系の望遠端での焦点距離、
である。
【００８９】
条件式（１６）は、第１レンズ群の焦点距離とズームレンズ全系の望遠端での焦点距離の関係を規定する条件式である。
条件式（１６）の下限を下回ると、第１レンズ群の屈折力が大きいため、望遠端での倍率色収差・像面湾曲が大きくなる。
【００９０】
条件式（１６）の上限を上回ると、第１レンズ群の屈折力が小さいため、ズームレンズの全長が長くなることから、ズームレンズの小型化が困難となる。
【００９１】
本実施形態に係るズームレンズにおいては、以下の条件式（１７）を満足することが好ましい。
−１＜ｆ2／ｆ3＜−０．６      （１７）
ここで、
ｆ2は、第２レンズ群の焦点距離、
ｆ3は、第３レンズ群の焦点距離、
である。
【００９２】
条件式（１７）は、第２レンズ群と第３レンズ群の焦点距離の関係を規定する条件式である。
条件式（１７）の上限を上回ると、第３レンズ群に対する第２レンズ群の屈折力が大きいため、広角端での像面湾曲・倍率色収差が大きくなる。
【００９３】
条件式（１７）の下限を下回ると、第３レンズ群の屈折力が過剰に大きくなるため、球面収差やコマ収差が大きくなる。
【００９４】
本実施形態に係るズームレンズにおいては、以下の条件式（１８）を満足することが好ましい。
０．４５＜ｆ3／ｆt＜０．７      （１８）
ここで、
ｆ3は、第３レンズ群の焦点距離、
ｆtは、ズームレンズ全系の望遠端での焦点距離、
である。
【００９５】
条件式（１８）は、第３レンズ群の焦点距離とズームレンズ全系の望遠端での焦点距離の関係を規定する条件式である。
条件式（１８）の上限を上回ると、第３レンズ群の屈折力が小さいため、ズームレンズの全長が長くなり、小型化が困難となる。
【００９６】
条件式（１８）の下限を下回ると、第３レンズ群の屈折力が過剰に大きいため、球面収差やコマ収差が大きくなる。
【００９７】
本実施形態に係るズームレンズにおいては、以下の条件式（１９）を満足することが好ましい。
−０．６＜ｆ2／ｆt＜−０．３      （１９）
ここで、
ｆ2は、第２レンズ群の焦点距離、
ｆtは、ズームレンズ全系の望遠端での焦点距離、
である。
【００９８】
条件式（１９）は、第２レンズ群の焦点距離とズームレンズ全系の望遠端での焦点距離の関係を規定する条件式である。
条件式（１９）の下限を下回ると、第２レンズ群の屈折力が小さいため、ズームレンズの全長が長くなり、小型化が困難となる。
【００９９】
条件式（１９）の上限を上回ると、第２レンズ群の屈折力が大きいため、広角端での像面湾曲や倍率色収差が大きくなる。
【０１００】
本実施形態に係るズームレンズにおいては、第３レンズ群は２成分以上を有し、
第３レンズ群の第１レンズ成分は正の屈折力を有し、
第３レンズ群の第２レンズ成分は負の屈折力を有し、
以下の条件式（２０）を満足することが好ましい。
０．１＜｜ｆ_3G1／ｆ_3G2｜＜０．６３      （２０）
ここで、
ｆ_3G1は、第３レンズ群の第１レンズ成分の焦点距離、
ｆ_3G2は、第３レンズ群の第２レンズ成分の焦点距離、
である。
【０１０１】
条件式（２０）は、第３レンズ群が変倍比をもちつつ、球面収差・コマ収差の発生を抑制するための条件を規定する条件式である。
条件式（２０）の上限を上回ると、第３レンズ群の第２レンズ成分の屈折力が大きいため、第３レンズ群全体の屈折力を強くできない。
【０１０２】
条件式（２０）の下限を下回ると、第３レンズ群の第１レンズ成分の屈折力が過剰に大きいため、球面収差やコマ収差が大きくなる。
【０１０３】
本実施形態に係るズームレンズにおいては、上記第２レンズ成分は、正レンズと負レンズの接合レンズであり、
以下の条件式（２１）を満足することが好ましい。
１．４＜｜ｆ_3G2-p／ｆ_3G2-n｜＜１．９      （２１）
ここで、
ｆ_3G2-pは、第３レンズ群の第２レンズ成分の正レンズの焦点距離、
ｆ_3G2-nは、第３レンズ群の第２レンズ成分の負レンズの焦点距離、
である。
【０１０４】
条件式（２１）は、第３レンズ群の第２レンズ成分内のパワーバランスに関して規定する条件式である。
条件式（２１）の上限を上回ると、負レンズの屈折力が大きいため、第２レンズ成分の屈折力が大きくなる。これにより、第３レンズ群全体の屈折力を強くできない。
【０１０５】
条件式（２１）の下限を下回ると、負レンズの屈折力が小さくなる。このため、第３レンズ群の主点が後ろ側になることによって、コンパクトな構成に不利になる。
【０１０６】
本実施形態に係るズームレンズにおいては、以下の条件式（２２）を満足することが好ましい。
―０．０５≦（ｎd_3G2-p）−（ｎd_3G2-n）        （２２）
ここで、
ｎd_3G2-pは、第３レンズ群の第２レンズ成分の正レンズの屈折率、
ｎd_3G2-nは、第３レンズ群の第２レンズ成分の負レンズの屈折率、
である。
【０１０７】
第３レンズ群の第２レンズ成分の正レンズ及び負レンズの屈折率を、条件式（２２）を満足するバランスとすることで、第２レンズ成分の屈折力を小さくし、第３レンズ群の屈折力を確保することができる。
【０１０８】
条件式（２２）の下限を下回ると、第２レンズ成分の屈折力が大きくなるため、第３レンズ群全体の屈折力を確保できない。
【０１０９】
本実施形態に係る撮像装置は、ズームレンズと、ズームレンズの像側に配置されズームレンズによって形成される像を受光する撮像面を備えた撮像素子とを有し、ズームレンズが上述のいずれかのズームレンズであることを特徴とする。
【０１１０】
条件式（１）については、上限値を２．３、更には２．１とすることが好ましい。
【０１１１】
条件式（２）については、上限値を１０、更には８とすることが好ましい。条件式（２）の下限値は３．５、更には４．５とすることが好ましい。
【０１１２】
条件式（３）については、上限値を０．１１とすることが好ましい。
【０１１３】
条件式（４）については、上限値を０．４９とすることが好ましい。
【０１１４】
条件式（５）については、上限値を１０とすることが好ましい。条件式（５）の下限値は２．２とすることが好ましい。
【０１１５】
条件式（６）については、下限値を０．１５、更には０．１とすることが好ましい。
【０１１６】
条件式（７）については、下限値を７１、更には８０とすることが好ましい。
【０１１７】
条件式（７ａ）については、下限値を８０とすることが好ましい。
【０１１８】
条件式（８）については、下限値を０．１５とすることが好ましい。
【０１１９】
条件式（８ａ）については、上限値を０．５、更には０．４８３とすることが好ましい。
【０１２０】
条件式（８ｂ）については、上限値を０．６、更には０．４８３とすることが好ましい。
【０１２１】
条件式（８ｃ）については、上限値を０．５、更には０．４８３とすることが好ましい。
【０１２２】
条件式（９）については、下限値を０．１とすることが好ましい。
【０１２３】
条件式（１０）については、上限値を０．９とすることが好ましい。条件式（１０）の下限値は０．８とすることが好ましい。
【０１２４】
条件式（１１）については、上限値を１．５、更には１とすることがより好ましい。条件式（１１）の下限値は０．１５、更には０．２とすることが好ましい。
【０１２５】
条件式（１２）については、上限値を８とすることが好ましい。条件式（１２）の下限値は３．１とすることが好ましい。
【０１２６】
条件式（１３）については、上限値を３．５、更には３．２とすることが好ましい。
【０１２７】
条件式（１４）については、上限値を３、更には２．６とすることがより好ましい。
【０１２８】
条件式（１５）については、上限値を０．６６とすることがより好ましい。
【０１２９】
条件式（１６）については、上限値を３．５とすることが好ましい。
条件式（１６）の下限値は１．６とすることが好ましい。
【０１３０】
条件式（１７）については、上限値を−０．６５とすることが好ましい。条件式（１７）の下限値は−０．９とすることが好ましい。
【０１３１】
条件式（１８）については、上限値を０．６５とすることが好ましい。条件式（１８）の下限値は０．５とすることが好ましい。
【０１３２】
条件式（１９）については、上限値を−０．３５とすることが好ましい。条件式（１９）の下限値は−０．５８とすることが好ましい。
【０１３３】
条件式（２０）については、下限値を０．３とすることが好ましい。
【０１３４】
条件式（２１）については、下限値を１．５とすることが好ましい。
【０１３５】
条件式（２２）については、下限値を０とすることが好ましい。
【実施例】
【０１３６】
以下、本発明のズームレンズの実施例１〜６について説明する。実施例１〜６の無限遠物点合焦時の広角端（ａ）、中間焦点距離状態（ｂ）、望遠端（ｃ）のレンズ断面図をそれぞれ図１〜図６に示す。図１〜図６中、第１レンズ群はＧ１、第２レンズ群はＧ２、第３レンズ群はＧ３、第４レンズ群はＧ４、明るさ（開口）絞りはＳ、赤外光を制限する波長域制限コートを施したローパスフィルタを構成する平行平板はＦ、電子撮像素子のカバーガラスの平行平板はＣ、像面はＩで示してある。なお、カバーガラスＣの表面に波長域制限用の多層膜を施してもよい。また、そのカバーガラスＣにローパスフィルタ作用を持たせるようにしてもよい。平行平板Ｆは、ローバスフィルターの機能を持たないようにしてもよい。
【０１３７】
また、各実施例において、明るさ絞りＳは第３レンズ群Ｇ３と一体で移動する。数値データはいずれも無限遠の被写体に合焦した状態でのデータである。各数値の長さの単位はｍｍ、角度の単位は°（度）である。さらに、ズームデータは広角端（広角）、中間焦点距離状態（中間）、望遠端（望遠）での値である。
【０１３８】
以下の実施例において、フォーカシングは、第４レンズ群Ｇ４の移動で行うことが好ましいが、以下の（Ｂ−１）、（Ｂ−２）、（Ｂ−３）によって行っても良い。
（Ｂ−１）第４レンズ群Ｇ４以外のレンズ群でフォーカシングを行う。
（Ｂ−２）複数のレンズ群の移動によってフォーカシングを行う。
（Ｂ−３）レンズ系全体を繰り出してフォーカシングを行っても良いし、一部のレンズを繰り出し、又は繰り込みしてフォーカシングしても良い。
【０１３９】
実施例１のズームレンズは、図１に示すように、物体側から順に、正の屈折力の第１レンズ群Ｇ１と、負の屈折力の第２レンズ群Ｇ２と、明るさ（開口）絞りＳと、正の屈折力の第３レンズ群Ｇ３と、正の屈折力の第４レンズ群Ｇ４と、を配置している。
【０１４０】
広角端から望遠端への変倍に際して、第１レンズ群Ｇ１は像側へ移動した後に物体側へ移動する。第２レンズ群Ｇ２は像側へ移動する。第３レンズ群Ｇ３は物体側へ移動する。第４レンズ群Ｇ４は物体側へ移動する。
【０１４１】
物体側から順に、第１レンズ群Ｇ１は、両凸正レンズＬ１からなる。第２レンズ群Ｇ２は、物体側に凸面を向けた負メニスカスレンズＬ２と、両凹負レンズＬ３と、物体側に凸面を向けた正メニスカスレンズＬ４とからなる。第３レンズ群Ｇ３は、両凸正レンズＬ５と、物体側に凸面を向けた正メニスカスレンズＬ６と物体側に凸面を向けた負メニスカスレンズＬ７の接合レンズとからなる。第４レンズ群Ｇ４は、物体側に凸面を向けた正メニスカスレンズＬ８からなる。
【０１４２】
非球面は、両凸正レンズＬ５の両面と、正メニスカスレンズＬ８の物体側の面との３面に設けられている。
【０１４３】
実施例２のズームレンズは、図２に示すように、物体側から順に、正の屈折力の第１レンズ群Ｇ１と、負の屈折力の第２レンズ群Ｇ２と、明るさ（開口）絞りＳと、正の屈折力の第３レンズ群Ｇ３と、正の屈折力の第４レンズ群Ｇ４と、を配置している。
【０１４４】
広角端から望遠端への変倍に際して、第１レンズ群Ｇ１は像側へ移動した後に物体側へ移動する。第２レンズ群Ｇ２は像側へ移動する。第３レンズ群Ｇ３は物体側へ移動する。第４レンズ群Ｇ４は物体側へ移動する。
【０１４５】
物体側から順に、第１レンズ群Ｇ１は、両凸正レンズＬ１からなる。第２レンズ群Ｇ２は、物体側に凸面を向けた負メニスカスレンズＬ２と、両凹負レンズＬ３と、物体側に凸面を向けた正メニスカスレンズＬ４とからなる。第３レンズ群Ｇ３は、両凸正レンズＬ５と、両凸正レンズＬ６と両凹負レンズＬ７の接合レンズと、像側に凸面を向けた正メニスカスレンズＬ８とからなる。第４レンズ群Ｇ４は、物体側に凸面を向けた正メニスカスレンズＬ９からなる。
【０１４６】
非球面は、両凸正レンズＬ５の両面と、正メニスカスレンズＬ８の像側の面と、正メニスカスレンズＬ９の物体側の面との４面に設けられている。
【０１４７】
実施例３のズームレンズは、図３に示すように、物体側から順に、正の屈折力の第１レンズ群Ｇ１と、負の屈折力の第２レンズ群Ｇ２と、明るさ（開口）絞りＳと、正の屈折力の第３レンズ群Ｇ３と、正の屈折力の第４レンズ群Ｇ４と、を配置している。
【０１４８】
広角端から望遠端への変倍に際して、第１レンズ群Ｇ１は像側へ移動した後に物体側へ移動する。第２レンズ群Ｇ２は像側へ移動する。第３レンズ群Ｇ３は物体側へ移動する。第４レンズ群Ｇ４は物体側へ移動する。
【０１４９】
物体側から順に、第１レンズ群Ｇ１は、両凸正レンズＬ１からなる。第２レンズ群Ｇ２は、両凹負レンズＬ２と、両凹負レンズＬ３と、物体側に凸面を向けた正メニスカスレンズＬ４とからなる。第３レンズ群Ｇ３は、物体側に凸面を向けた正メニスカスレンズＬ５と、物体側に凸面を向けた正メニスカスレンズＬ６と物体側に凸面を向けた負メニスカスレンズＬ７の接合レンズと、両凹負レンズＬ８と両凸正レンズＬ９の接合レンズとからなる。第４レンズ群Ｇ４は、物体側に凸面を向けた正メニスカスレンズＬ１０からなる。
【０１５０】
非球面は、正メニスカスレンズＬ５の両面と、両凸正レンズＬ９の像側の面と、正メニスカスレンズＬ１０の物体側の面との４面に設けられている。
【０１５１】
実施例４のズームレンズは、図４に示すように、物体側から順に、正の屈折力の第１レンズ群Ｇ１と、負の屈折力の第２レンズ群Ｇ２と、明るさ（開口）絞りＳと、正の屈折力の第３レンズ群Ｇ３と、正の屈折力の第４レンズ群Ｇ４と、を配置している。
【０１５２】
広角端から望遠端への変倍に際して、第１レンズ群Ｇ１は像側へ移動した後に物体側へ移動する。第２レンズ群Ｇ２は像側へ移動した後に物体側へ移動する。第３レンズ群Ｇ３は物体側へ移動する。第４レンズ群Ｇ４は物体側へ移動する。
【０１５３】
物体側から順に、第１レンズ群Ｇ１は、物体側に凸面を向けた正メニスカスレンズＬ１からなる。第２レンズ群Ｇ２は、物体側に凸面を向けた負メニスカスレンズＬ２と、両凹負レンズＬ３と、両凸正レンズＬ４とからなる。第３レンズ群Ｇ３は、両凸正レンズＬ５と、両凸正レンズＬ６と両凹負レンズＬ７の接合レンズとからなる。第４レンズ群Ｇ４は、物体側に凸面を向けた正メニスカスレンズＬ８からなる。
【０１５４】
非球面は、両凸正レンズＬ５の両面と、正メニスカスレンズＬ８の物体側の面との３面に設けられている。
【０１５５】
実施例５のズームレンズは、図５に示すように、物体側から順に、正の屈折力の第１レンズ群Ｇ１と、負の屈折力の第２レンズ群Ｇ２と、明るさ（開口）絞りＳと、正の屈折力の第３レンズ群Ｇ３と、正の屈折力の第４レンズ群Ｇ４と、を配置している。
【０１５６】
広角端から望遠端への変倍に際して、第１レンズ群Ｇ１は像側へ移動した後に物体側へ移動する。第２レンズ群Ｇ２は像側へ移動した後に物体側へ移動する。第３レンズ群Ｇ３は物体側へ移動する。第４レンズ群Ｇ４は物体側へ移動する。
【０１５７】
物体側から順に、第１レンズ群Ｇ１は、両凸正レンズＬ１からなる。第２レンズ群Ｇ２は、物体側に凸面を向けた負メニスカスレンズＬ２と、両凹負レンズＬ３と、両凸正レンズＬ４とからなる。第３レンズ群Ｇ３は、両凸正レンズＬ５と、物体側に凸面を向けた正メニスカスレンズＬ６と物体側に凸面を向けた負メニスカスレンズＬ７の接合レンズと、物体側に凸面を向けた正メニスカスレンズＬ８とからなる。第４レンズ群Ｇ４は、物体側に凸面を向けた正メニスカスレンズＬ９からなる。
【０１５８】
非球面は、両凹負レンズＬ３の両面と、正メニスカスレンズＬ５の両面と、正メニスカスレンズＬ８の像側の面と、正メニスカスレンズＬ９の物体側の面の６面に設けられている。
【０１５９】
実施例６のズームレンズは、図６に示すように、物体側から順に、正の屈折力の第１レンズ群Ｇ１と、負の屈折力の第２レンズ群Ｇ２と、明るさ（開口）絞りＳと、正の屈折力の第３レンズ群Ｇ３と、正の屈折力の第４レンズ群Ｇ４と、を配置している。
【０１６０】
広角端から望遠端への変倍に際して、第１レンズ群Ｇ１は像側へ移動した後に物体側へ移動する。第２レンズ群Ｇ２は像側へ移動した後に物体側へ移動する。第３レンズ群Ｇ３は物体側へ移動する。第４レンズ群Ｇ４は物体側へ移動する。
【０１６１】
物体側から順に、第１レンズ群Ｇ１は、両凸正レンズＬ１からなる。第２レンズ群Ｇ２は、物体側に凸面を向けた負メニスカスレンズＬ２と、両凹負レンズＬ３と、両凸正レンズＬ４とからなる。第３レンズ群Ｇ３は、両凸正レンズＬ５と、両凸正レンズＬ６と両凹負レンズＬ７の接合レンズと、両凹負レンズＬ８と両凸正レンズＬ９の接合レンズとからなる。第４レンズ群Ｇ４は、物体側に凸面を向けた正メニスカスレンズＬ１０からなる。
【０１６２】
非球面は、両凸正レンズＬ５の両面と、両凸正レンズＬ９の像側の面と、正メニスカスレンズＬ１０の物体側の面との４面に設けられている。
【０１６３】
以下に、上記各実施例の数値データを示す。記号は上記の外、ＢＦはバックフォーカス、ｆ１、ｆ２…は各レンズ群の焦点距離、ＦＮＯはＦナンバー、ωは半画角、ＷＥは広角端、ＳＴは中間焦点距離状態、ＴＥは望遠端、ｒは各レンズ面の曲率半径、ｄは各レンズ面間の間隔、ｎｄは各レンズのｄ線の屈折率、νｄは各レンズのアッベ数である。後述するレンズ全長は、レンズ最前面からレンズ最終面までの距離にバックフォーカスを加えたものである。ＢＦ（バックフォーカス）は、レンズ最終面から近軸像面までの距離を空気換算して表したものである。
【０１６４】
また、各非球面形状は、各実施例における各非球面係数を用いて、以下の式（Ｉ）で表される。
但し、光軸方向の座標をＺ、光軸と垂直な方向の座標をＹとする。
Ｚ＝（Ｙ２／ｒ）／［１＋｛１−（１＋ｋ）・（Ｙ／ｒ）２｝１／２］＋Ａ４×Ｙ４＋Ａ６×Ｙ６＋Ａ８×Ｙ８＋Ａ１０×Ｙ１０＋Ａ１２×Ｙ１２      （Ｉ）
ここで、
ｒは近軸曲率半径、
ｋは円錐係数、
Ａ4、Ａ6、Ａ8、Ａ10、Ａ12はそれぞれ４次、６次、８次、１０次、１２次の非球面係数である。
また、非球面係数において、「ｅ−ｎ」（ｎは整数）は、「１０−ｎ」を示している。
【０１６５】
数値実施例１
単位ｍｍ
面データ
面番号     r          d         nd       νd
物面       ∞         ∞
1      32.135      2.00     1.49700    81.54
2    -102.316      可変
3     328.385      0.40     1.88300    40.76
4       7.290      3.10
5     -22.607      0.40     1.88300    40.76
6     833.870      0.20
7      17.699      1.45     1.92286    18.90
8     307.224      可変  
9(絞り)  ∞        0.10
10*      6.919      1.99     1.58313    59.38
11*    -28.825      0.10
12       7.122      1.70     1.88300    40.76
13      21.541      0.40     1.80810    22.76
14       4.206      可変
15*     10.426      1.60     1.52542    55.78
16      90.000      可変
17        ∞        0.30     1.51633    64.14
18        ∞        0.50
19        ∞        0.50     1.51633    64.14
20        ∞        0.50
像面（撮像面）∞
非球面データ
第１０面
K=0.000
A4=-3.56614e-04,A6=-2.66751e-07,A8=-2.38109e-07  
第１１面
K=0.000
A4=1.04332e-04,A6=1.85779e-06,A8=-1.38006e-07  
第１５面
K=0.000
A4=-1.67784e-04,A6=7.36083e-07,A8=2.38133e-08  
ズームデータ
広角      中間      望遠
焦点距離           5.06      9.82     19.43
ＦＮＯ．           2.04      2.46      3.06
画角２ω          76.16     43.39     22.23
fb (in air)        4.76      7.15     10.50
全長(in air)      43.08     40.81     47.33
d2                 0.30      5.30     12.29  
d8                18.49      7.68      1.44  
d14                6.09      7.23      9.66  
d16                3.23      5.63      8.97  
群焦点距離
f1=49.45    f2=-9.73    f3=11.71    f4=22.29   
【０１６６】
数値実施例２
単位ｍｍ
面データ
面番号     r          d         nd       νd
物面       ∞         ∞
1      32.677      1.86     1.59282    68.63
2    -273.418      可変   
3     110.799      0.40     1.91082    35.25
4       7.794      3.32
5     -19.599      0.40     1.56732    42.82
6      47.981      0.30
7      18.215      1.42     1.94595    17.98
8     255.190      可変  
9(絞り)  ∞        0.10
10*      7.622      1.76     1.74320    49.29
11*   -502.038      0.10
12       9.543      2.41     1.83481    42.71
13     -55.013      0.40     1.84666    23.78
14       4.926      1.60
15     -24.221      1.25     1.69350    53.21
16*    -12.469      可変  
17*      9.243      1.58     1.52542    55.78
18      28.000      可変  
19        ∞        0.30     1.51633    64.14
20        ∞        0.50
21        ∞        0.50     1.51633    64.14
22        ∞        0.50
像面（撮像面）∞
非球面データ
第１０面
K=0.000
A4=-1.62944e-04,A6=-2.85442e-06,A8=-9.83142e-08  
第１１面
K=0.000
A4=1.52229e-04,A6=-4.19409e-06  
第１６面
K=0.000
A4=-1.83930e-05,A6=3.87170e-06  
第１７面
K=0.000
A4=-9.80740e-05,A6=7.73598e-07  
ズームデータ
広角      中間      望遠
焦点距離           5.05      9.42     19.49
ＦＮＯ．           1.85      2.20      2.73
画角２ω          76.03     45.76     22.43
fb (in air)        5.99      7.65      9.40
全長(in air)      44.03     40.51     47.73
d2                 0.35      4.70     13.13  
d8                18.80      7.73      1.10  
d16                1.99      3.52      7.19  
d18                4.46      6.13      7.88   
群焦点距離
f1=49.35    f2=-10.55    f3=12.27    f4=25.52   
【０１６７】
数値実施例３
単位ｍｍ
面データ
面番号     r          d         nd       νd
物面       ∞         ∞
1      45.610      1.98     1.43700    95.10
2     -62.539      可変  
3    -177.607      0.40     1.88300    40.76
4       8.662      3.16
5     -30.819      0.40     1.72916    54.68
6     106.371      0.19
7      18.181      1.57     1.92286    18.90
8     107.134      可変  
9(絞り)  ∞        0.10
10*      8.164      1.80     1.74320    49.29
11*   2266.058      0.10
12       7.396      1.74     1.88300    40.76
13      52.632      0.40     1.84666    23.78
14       4.647      1.70
15     -19.473      0.40     1.60342    38.03
16      20.125      1.15     1.74320    49.29
17*    -17.070      可変
18*     10.632      1.38     1.52542    55.78
19      38.861      可変
20        ∞        0.30     1.51633    64.14
21        ∞        0.50
22        ∞        0.50     1.51633    64.14
23        ∞        0.50
像面（撮像面）∞
非球面データ
第１０面
K=0.000
A4=-1.37600e-04,A6=-2.97778e-06,A8=-3.44388e-08  
第１１面
K=0.000
A4=7.33111e-05,A6=-2.67414e-06  
第１７面
K=0.000
A4=8.08396e-05,A6=8.15239e-07  
第１８面
K=0.000
A4=-9.67408e-05,A6=-7.54455e-07,A8=2.45503e-08  
ズームデータ
広角      中間      望遠
焦点距離           5.05      9.50     19.49
ＦＮＯ．           1.85      2.22      2.82
画角２ω          77.56     45.15     21.99
fb (in air)        5.34      6.84      8.50
全長(in air)      45.02     41.43     50.20
d2                 0.30      4.91     14.26  
d8                19.58      7.86      1.15  
d17                3.33      5.35      9.82  
d19                3.82      5.31      6.97  
群焦点距離
f1=60.69    f2=-11.16    f3=12.03    f4=27.40   
【０１６８】
数値実施例４
単位ｍｍ
面データ
面番号     r          d         nd       νd
物面       ∞         ∞
1      19.317      2.07     1.49700    81.61
2     136.730      可変  
3      51.381      0.70     1.91082    35.25
4       6.845      3.28
5     -19.045      0.60     1.81600    46.62
6      52.685      0.20
7      18.317      1.39     1.92286    18.90
8    -132.373      可変  
9(絞り)  ∞        0.10
10*      7.433      1.99     1.58313    59.38
11*    -26.249      0.10
12       8.035      2.16     1.91082    35.25
13     -75.166      0.45     1.80810    22.76
14       4.371      可変
15*      9.500      1.80     1.52542    55.78
16      50.374      可変
17        ∞        0.30     1.51633    64.14
18        ∞        0.50
19        ∞        0.50     1.51633    64.14
20        ∞        0.50
像面（撮像面）∞
非球面データ
第１０面
K=0.000
A4=-3.28470e-04,A6=-1.80647e-06,A8=-5.88729e-08  
第１１面
K=0.000
A4=1.06190e-04,A6=1.88197e-08  
第１５面
K=0.000
A4=-1.19691e-04,A6=1.16742e-06  
ズームデータ
広角      中間      望遠
焦点距離           5.03     11.00     24.14
ＦＮＯ．           1.93      2.39      3.02
画角２ω          76.60     39.97     18.39
fb (in air)        4.33      7.65      9.42
全長(in air)      44.16     41.96     52.78
d2                 0.30      5.92     14.81  
d8                18.53      6.56      1.45  
d14                6.16      6.99     12.26  
d16                2.80      6.12      7.90  
群焦点距離
f1=45.00    f2=-9.04    f3=11.56    f4=21.95   
【０１６９】
数値実施例５
単位ｍｍ
面データ
面番号     r          d         nd       νd
物面       ∞         ∞
1      23.558      2.52     1.43700    95.10
2    -350.000      可変  
3     227.639      0.50     1.88300    40.76
4       7.929      3.69
5*    -28.111      0.50     1.88300    40.76
6*     42.109      0.20
7      18.962      1.70     1.92286    20.88
8    -110.652      可変  
9(絞り)  ∞        0.10
10*      7.986      2.00     1.74320    49.34
11*   -688.203      0.10
12       8.665      2.10     1.88300    40.76
13     103.576      0.40     1.84666    23.78
14       4.659      2.20
15       7.000      1.10     1.49700    81.61
16*      8.673      可変
17*     10.874      1.80     1.52542    55.78
18     138.834      可変
19        ∞        0.30     1.51633    64.14
20        ∞        0.50
21        ∞        0.50     1.51633    64.14
22        ∞        0.50
像面（撮像面）∞
非球面データ
第５面
K=0.000
A4=8.99939e-05,A6=-7.31309e-07  
第６面
K=0.000
A4=8.66142e-05,A6=-1.37660e-06  
第１０面
K=0.000
A4=-1.61669e-04,A6=-1.88985e-06,A8=-3.85013e-08  
第１１面
K=0.000
A4=2.30075e-05,A6=-3.97947e-07  
第１６面
K=0.000
A4=2.17691e-04,A6=7.02441e-06,A8=-3.73778e-07  
第１７面
K=0.000
A4=-1.14736e-04,A6=4.29259e-07  
ズームデータ
広角      中間      望遠
焦点距離           5.04     10.88     24.45
ＦＮＯ．           2.04      2.47      3.11
画角２ω          76.49     40.05     17.79
fb (in air)        4.32      7.65      9.36
全長(in air)      50.43     45.09     56.53
d2                 0.30      5.80     16.48  
d8                22.73      7.74      1.45  
d16                4.18      4.99     10.33  
d18                2.80      6.12      7.83  
群焦点距離
f1=50.61    f2=-10.35    f3=12.69    f4=22.35   
【０１７０】
数値実施例６
単位ｍｍ
面データ
面番号     r          d         nd       νd
物面       ∞         ∞
1      24.393      2.45     1.49700    81.54
2    -260.106      可変  
3     171.127      0.70     1.88300    40.76
4       7.982      4.20
5     -23.380      0.60     1.88300    40.76
6      53.250      0.20
7      21.441      1.60     1.92286    18.90
8    -120.476      可変
9(絞り)  ∞        0.10
10*      8.120      1.98     1.74320    49.34
11*    -84.847      0.10
12       7.946      1.82     1.83552    42.11
13     -57.655      0.40     1.78570    25.12
14       4.500      2.14
15     -72.226      0.40     1.52923    58.47
16      11.144      1.66     1.49700    81.54
17*    -44.832      可変
18*      9.721      1.90     1.52542    55.78
19      70.000      可変
20        ∞        0.30     1.51633    64.14
21        ∞        0.50
22        ∞        0.50     1.51633    64.14
23        ∞        0.50
像面（撮像面）∞
非球面データ
第１０面
K=0.000
A4=-2.15147e-04,A6=-1.00465e-06,A8=-6.50613e-08  
第１１面
K=0.000
A4=2.98737e-05,A6=2.46489e-07,A8=-2.74588e-08  
第１７面
K=0.000
A4=-4.17923e-07,A6=7.01812e-06,A8=-7.78124e-07  
第１８面
K=0.000
A4=-7.09682e-05,A6=3.90578e-07,A8=-1.09170e-08  
ズームデータ
広角      中間      望遠
焦点距離           5.01     10.97     24.04
ＦＮＯ．           1.84      2.25      2.99
画角２ω          77.03     39.77     18.36
fb (in air)        4.39      7.38      8.94
全長(in air)      49.75     46.60     57.43
d2                 0.30      6.00     13.97  
d8                20.88      7.38      1.55  
d17                3.94      5.59     12.72  
d19                2.86      5.86      7.42  
群焦点距離
f1=45.00    f2=-9.42    f3=12.70    f4=21.25   
【０１７１】
以上の実施例１〜６の無限遠物点合焦時の収差図をそれぞれ図７〜図１２に示す。これらの収差図において、（ａ）〜（ｄ）は広角端、（ｅ）〜（ｈ）は中間焦点距離状態、（ｉ）〜（ｌ）は望遠端における、球面収差（ＳＡ）、非点収差（ＡＳ）、歪曲収差（ＤＴ）、倍率色収差（ＣＣ）を示す。各図中、“ω”は半画角を示す。
【０１７２】
次に、各実施例における条件式の値を掲げる。
条件式                       実施例1 実施例2 実施例3 実施例4 実施例5 実施例6
(1) Ｆno（Ｗ）                 2.04    1.85    1.85    1.93    2.04    1.84
(2) ft/fw                      3.84    3.86    3.86    4.80    4.85    4.80
(3) Σd1G/ft                   0.10    0.10    0.10    0.09    0.10    0.10
(4) Σd1G/Σd3G                0.48    0.25    0.27    0.44    0.32    0.29
(5) f3/fw                      2.31    2.43    2.38    2.30    2.52    2.54
(6) L/I                        0.52    0.48    0.51    0.54    0.65    0.63
(7),(7a) vd_1G                81.54   68.63   95.10   81.61   95.10   81.54
(8),(8a),(8b),(8c)
(β2t/β2w)/(β3t/β3w)       0.36    0.48    0.43    0.44    0.43    0.42
(9) (β4t/β4w)/(β3t/β3w)    0.16    0.26    0.26    0.17    0.17    0.17
(10) (β3t/β3w)/(ft/fw)       1.06    0.82    0.84    0.84    0.83    0.84
(11) (Δ1G/f1)/(Δ4G/f4)       0.33    0.56    0.74    0.82    0.53    0.80
(12) β3t/β3w                 4.08    3.15    3.25    4.01    4.02    4.04
(13) Fno(T)                    3.06    2.73    2.82    3.02    3.11    2.99
(14) Lt/ft                     2.44    2.45    2.58    2.19    2.31    2.39
(15) β4(T)                    0.48    0.57    0.65    0.51    0.52    0.51
(16) f1/fｔ                    2.54    2.53    3.11    1.86    2.07    1.87
(17) f2/f3                    -0.83   -0.86   -0.93   -0.78   -0.82   -0.74
(18) f3/ft                     0.60    0.63    0.62    0.48    0.52    0.53
(19) f2/ft                    -0.50   -0.54   -0.57   -0.37   -0.42   -0.39
(20) |f_3G1/f_3G2|             0.44    0.62    0.43    0.42    0.59    0.47
(21) |f_3G2-p/f_3G2-n|         1.75    1.86    1.58    1.58    1.84    1.60
(22) (nd_3G2-p)-(nd_3G2-n)     0.07   -0.01    0.04    0.10    0.04    0.05
【０１７３】
図１３は、本発明のズームレンズを用い、撮像素子として小型のＣＣＤ又はＣＭＯＳなどを用いた撮像装置としてのコンパクトカメラ１の断面図である。コンパクトカメラ１の鏡筒内には撮像レンズ系２が配置され、ボディには、撮像素子面４、バックモニタ５が配置されている。
ここで、鏡筒にマウント部を設けて、撮像レンズ系２を一眼ミラーレスカメラのボディに対して着脱可能とすることもできる。このマウント部は、例えばスクリュータイプやバヨネットタイプ等のマウントを用いる。
【０１７４】
このような構成のコンパクトカメラ１の撮像レンズ系２として、例えば上記実施例１〜６に示した本発明のズームレンズが用いられる。
【０１７５】
図１４、図１５は、ズームレンズを撮影光学系４１に組み込んだ、本発明に係る撮像装置の構成の概念図を示す。図１４は撮像装置としてのデジタルカメラ４０の外観を示す前方斜視図、図１５は同後方斜視図である。
【０１７６】
この実施形態のデジタルカメラ４０は、撮影用光路４２上に位置する撮影光学系４１、シャッターボタン４５、液晶表示モニター４７等を含み、デジタルカメラ４０の上部に配置されたシャッターボタン４５を押圧すると、それに連動して撮影光学系４１、例えば実施例１のズームレンズを通して撮影が行われる。撮影光学系４１によって形成された物体像が、結像面近傍に設けられた撮像素子（光電変換面）上に形成される。この撮像素子で受光された物体像は、処理手段によって電子画像としてカメラ背面に設けられた液晶表示モニター４７に表示される。また、撮影された電子画像は記録手段に記録することができる。
【０１７７】
（内部回路構成）
図１６は、デジタルカメラ４０の主要部の内部回路を示すブロック図である。なお、以下の説明では、前述した処理手段は、例えばＣＤＳ／ＡＤＣ部２４、一時記憶メモリ１７、画像処理部１８等で構成され、記憶手段は、記憶媒体部等で構成される。
【０１７８】
図１６に示すように、デジタルカメラ４０は、操作部１２と、この操作部１２に接続された制御部１３と、この制御部１３の制御信号出力ポートにバス１４及び１５を介して接続された撮像駆動回路１６並びに一時記憶メモリ１７、画像処理部１８、記憶媒体部１９、表示部２０、及び設定情報記憶メモリ部２１を備えている。
【０１７９】
上記の一時記憶メモリ１７、画像処理部１８、記憶媒体部１９、表示部２０、及び設定情報記憶メモリ部２１は、バス２２を介して相互にデータの入力、出力が可能とされている。また、撮像駆動回路１６には、ＣＣＤ４９とＣＤＳ／ＡＤＣ部２４が接続されている。
【０１８０】
操作部１２は、各種の入力ボタンやスイッチを備え、これらを介して外部（カメラ使用者）から入力されるイベント情報を制御部１３に通知する。制御部１３は、例えばＣＰＵなどからなる中央演算処理装置であって、不図示のプログラムメモリを内蔵し、プログラムメモリに格納されているプログラムにしたがって、デジタルカメラ４０全体を制御する。
【０１８１】
ＣＣＤ４９は、撮像駆動回路１６により駆動制御され、撮像光学系４１を介して形成された物体像の画素ごとの光量を電気信号に変換し、ＣＤＳ／ＡＤＣ部２４に出力する撮像素子である。
【０１８２】
ＣＤＳ／ＡＤＣ部２４は、ＣＣＤ４９から入力する電気信号を増幅し、かつ、アナログ／デジタル変換を行って、この増幅とデジタル変換を行っただけの映像生データ（ベイヤーデータ、以下ＲＡＷデータという。）を一時記憶メモリ１７に出力する回路である。
【０１８３】
一時記憶メモリ１７は、例えばＳＤＲＡＭ等からなるバッファであり、ＣＤＳ／ＡＤＣ部２４から出力されるＲＡＷデータを一時的に記憶するメモリ装置である。画像処理部１８は、一時記憶メモリ１７に記憶されたＲＡＷデータ又は記憶媒体部１９に記憶されているＲＡＷデータを読み出して、制御部１３にて指定された画質パラメータに基づいて歪曲収差補正を含む各種画像処理を電気的に行う回路である。
【０１８４】
記録媒体部１９は、例えばフラッシュメモリ等からなるカード型又はスティック型の記録媒体を着脱自在に装着して、これらのフラッシュメモリに、一時記憶メモリ１７から転送されるＲＡＷデータや画像処理部１８で画像処理された画像データを記録して保持する。
【０１８５】
表示部２０は、液晶表示モニター４７などにて構成され、撮影したＲＡＷデータ、画像データや操作メニューなどを表示する。設定情報記憶メモリ部２１には、予め各種の画質パラメータが格納されているＲＯＭ部と、操作部１２の入力操作によってＲＯＭ部から読み出された画質パラメータを記憶するＲＡＭ部が備えられている。
【０１８６】
このように構成されたデジタルカメラ４０は、撮影光学系４１として本発明のズームレンズを採用することで、ズーミングが可能であり、かつ、無限遠を含むフォーカシングを可能とする第１のモードと大きい撮影倍率を得ることを可能とする第２のモードとが設定可能であって、小型化と高性能化の両立に有利な撮像装置とすることが可能となる。
【産業上の利用可能性】
【０１８７】
以上のように、本発明に係るズームレンズは、明るく高変倍でありながら小型化する場合に有用である。
【符号の説明】
【０１８８】
Ｇ１…第１レンズ群
Ｇ２…第２レンズ群
Ｇ３…第３レンズ群
Ｇ４…第４レンズ群
Ｓ…明るさ絞り
Ｆ…光量低減フィルター
Ｃ…カバーガラス
Ｉ…像面
１…コンパクトカメラ
２…撮像レンズ系
４…撮像素子面
５…バックモニタ
１２…操作部
１３…制御部
１４、１５…バス
１６…撮像駆動回路
１７…一時記憶メモリ
１８…画像処理部
１９…記憶媒体部
２０…表示部
２１…設定情報記憶メモリ部
２２…バス
２４…ＣＤＳ／ＡＤＣ部
４０…デジタルカメラ
４１…撮影光学系
４２…撮影用光路
４５…シャッターボタン
４７…液晶表示モニター
４９…ＣＣＤ
【図１】
2013190485.tif 000003
【図２】
2013190485.tif 000004
【図３】
2013190485.tif 000005
【図４】
2013190485.tif 000006
【図５】
2013190485.tif 000007
【図６】
2013190485.tif 000008
【図７】
2013190485.tif 000009
【図８】
2013190485.tif 000010
【図９】
2013190485.tif 000011
【図１０】
2013190485.tif 000012
【図１１】
2013190485.tif 000013
【図１２】
2013190485.tif 000014
【図１３】
2013190485.tif 000015
【図１４】
2013190485.tif 000016
【図１５】
2013190485.tif 000017
【図１６】
2013190485.tif 000018